(57)【要約】【課題】  被写体輝度が低い場合でも、ノイズの少ない良好な画像を得るようにする。【解決手段】  平面状に配設された複数の光電変換要素からなり、該複数の光電変換要素が画素をそれぞれ構成するＣＣＤ２と、被写体輝度を計測する被写体輝度計測部９とを備え、システムコントローラ７が、被写体輝度計測部９によって計測された被写体輝度に応じて、ＣＣＤ２における同一種の第１の所定数量の光電変換要素から電荷を集め、１画素分の電荷とする第１の電荷収集モードと、ＣＣＤ２における同一種の第２の所定数量の光電変換要素から電荷を集め、１画素分の電荷とする第２の電荷収集モードとのうちの一方を実行する。【選択図】      図１
2005167497.tif 000002
【特許請求の範囲】
【請求項１】
平面状に配設された複数の光電変換要素からなり、該複数の光電変換要素が画素をそれぞれ構成する光電変換部と、
前記光電変換部における同一種の第１の所定数量の光電変換要素から電荷を集め、１画素分の電荷とする第１の電荷収集手段と、
前記光電変換部における同一種の第２の所定数量の光電変換要素から電荷を集め、１画素分の電荷とする第２の電荷収集手段と、
被写体輝度を計測する被写体輝度計測手段と、
前記被写体輝度計測手段によって計測された被写体輝度に応じて、前記第１及び第２の電荷収集手段のうちの一方を動作させる動作制御手段と
を有することを特徴とする撮像装置。
【請求項２】
前記第１の所定数量は、前記第２の所定数量よりも小さく、
前記動作制御手段は、前記被写体輝度計測手段によって計測された被写体輝度が所定輝度よりも高い場合には、前記第１の電荷収集手段を動作させ、前記計測された被写体輝度が前記所定輝度以下である場合には、前記第２の電荷収集手段を動作させることを特徴とする請求項１記載の撮像装置。
【請求項３】
カラー画像処理およびモノクロ画像処理のいずれかを選択的に実行することが可能な画像処理手段を更に有し、
前記動作制御手段は、前記計測された被写体輝度が前記所定輝度以下である場合には、前記第２の電荷収集手段を動作させるとともに、前記画像処理手段にモノクロ画像処理を実行させることを特徴とする請求項２記載の撮像装置。
【請求項４】
前記第１の電荷収集手段は、前記光電変換部の所定の部分領域における同一種の第１の所定数量の光電変換要素から電荷を集め、１画素分の電荷とし、
前記第２の電荷収集手段は、前記光電変換部の全領域における同一種の第２の所定数量の光電変換要素から電荷を集め、１画素分の電荷とすることを特徴とする請求項２記載の撮像装置。
【請求項５】
前記撮像装置の揺れに応じて画像データに対して揺れ補正を行う補正手段を更に有し、
前記動作制御手段は、前記被写体輝度計測手段によって計測された被写体輝度が所定輝度よりも高い場合には、前記第１の電荷収集手段を動作させるとともに、前記補正手段を動作させ、前記計測された被写体輝度が前記所定輝度以下である場合には、前記第２の電荷収集手段を動作させるとともに、前記補正手段を動作させないことを特徴とする請求項４記載の撮像装置。
【請求項６】
垂直方向および水平方向に配設された複数の光電変換要素からなり、該複数の光電変換要素が画素をそれぞれ構成する光電変換部と、
前記光電変換部の垂直方向の画素列毎に設けられるとともに、各々が垂直方向に並んだ複数の電荷保持要素からなり、該複数の電荷保持要素が、前記光電変換部の対応の光電変換要素から画素ごとの電荷を受け取り、該電荷を前記電荷保持要素ごとに順次垂直方向に転送することが可能な複数の垂直電荷転送部と、
各々が水平方向に並んだ複数の電荷保持要素からなり、該複数の電荷保持要素に前記複数の垂直電荷転送部の垂直方向の各一方端がそれぞれ接続され、前記複数の垂直電荷転送部からそれぞれ転送された電荷を、前記電荷保持要素ごとに順次水平方向に転送することが可能な水平電荷転送部と、
前記複数の垂直電荷転送部の各々における前記複数の電荷保持要素のうちの１つに、前記光電変換部の第１の所定数量の光電変換要素から電荷をそれぞれ転送させる第１の転送制御手段と、
前記複数の垂直電荷転送部の各々における前記複数の電荷保持要素のうちの１つに、前記光電変換部の第２の所定数量の光電変換要素から電荷をそれぞれ転送させる第２の転送制御手段と、
被写体輝度を計測する被写体輝度計測手段と、
前記被写体輝度計測手段によって計測された被写体輝度に応じて、前記第１及び第２の転送制御手段のうちの一方を動作させる動作制御手段と
を有することを特徴とする撮像装置。
【請求項７】
前記第１の所定数量は、前記第２の所定数量よりも小さく、
前記動作制御手段は、前記被写体輝度計測手段によって計測された被写体輝度が所定輝度よりも高い場合には、前記第１の転送制御手段を動作させ、前記計測された被写体輝度が前記所定輝度以下である場合には、前記第２の転送制御手段を動作させることを特徴とする請求項１記載の撮像装置。
【請求項８】
平面状に配設された複数の光電変換要素からなり、該複数の光電変換要素が画素をそれぞれ構成する光電変換部を備えた撮像装置に適用される良質画像獲得方法において、
前記光電変換部における同一種の第１の所定数量の光電変換要素から電荷を集め、１画素分の電荷とする第１の電荷収集ステップと、
前記光電変換部における同一種の第２の所定数量の光電変換要素から電荷を集め、１画素分の電荷とする第２の電荷収集ステップと、
被写体輝度を計測する被写体輝度計測ステップと、
前記被写体輝度計測ステップによって計測された被写体輝度に応じて、前記第１及び第２の電荷収集ステップのうちの一方を実行させる動作制御ステップと
を有することを特徴とする良質画像獲得方法。
【請求項９】
前記第１の所定数量は、前記第２の所定数量よりも小さく、
前記動作制御ステップは、前記被写体輝度計測ステップによって計測された被写体輝度が所定輝度よりも高い場合には、前記第１の電荷収集ステップを実行させ、前記計測された被写体輝度が前記所定輝度以下である場合には、前記第２の電荷収集ステップを実行させることを特徴とする請求項８記載の良質画像獲得方法。
【請求項１０】
平面状に配設された複数の光電変換要素からなり、該複数の光電変換要素が画素をそれぞれ構成する光電変換部を備えた撮像装置に適用される良質画像獲得方法を、コンピュータに実行させるためのプログラムにおいて、
前記光電変換部における同一種の第１の所定数量の光電変換要素から電荷を集め、１画素分の電荷とする第１の電荷収集ステップと、
前記光電変換部における同一種の第２の所定数量の光電変換要素から電荷を集め、１画素分の電荷とする第２の電荷収集ステップと、
被写体輝度を計測する被写体輝度計測ステップと、
前記被写体輝度計測ステップによって計測された被写体輝度に応じて、前記第１及び第２の電荷収集ステップのうちの一方を実行させる動作制御ステップと
を有することを特徴とするプログラム。
【請求項１１】
前記第１の所定数量は、前記第２の所定数量よりも小さく、
前記動作制御ステップは、前記被写体輝度計測ステップによって計測された被写体輝度が所定輝度よりも高い場合には、前記第１の電荷収集ステップを実行させ、前記計測された被写体輝度が前記所定輝度以下である場合には、前記第２の電荷収集ステップを実行させることを特徴とする請求項１０記載のプログラム。
【発明の詳細な説明】
【技術分野】
【０００１】
本発明は、撮像装置、良質画像獲得方法、及びプログラムに関し、特に、被写体輝度が低い場合でもノイズの少ない良好な画像を得ることが可能な撮像装置、該撮像装置に適用される良質画像獲得方法、及び該良質画像獲得方法をコンピュータに実行させるためのプログラムに関する。
【背景技術】
【０００２】
ビデオテープに動画を記録するデジタルビデオカメラにおいて、近年、静止画をメモリカードに記録できるようにしたものが市販されている。動画像の記録においては、画像サイズ（画素数）は７２０ｘ４８０（ＮＴＳＣ）であるが、静止画記録では、例えば１０２４ｘ７６８以上の画像サイズが一般的であり、これによって高解像度を得ている。高解像度な静止画記録を行うために、近年ますます撮像素子の画像サイズ（画素数）は大型化する傾向にある。
【０００３】
なお、図９に示すように、静止画記録を行うために、動画撮影に必要な画像サイズ１０１よりも撮像素子ＣＣＤ（Charge Coupled Device）の画像サイズ１０２のほうが大きいことを利用して、動画撮影時に手ぶれ量に応じて、ＣＣＤの受光領域の不要上下領域を高速に間引く、いわゆる電気的手ぶれ補正が行われている。
【特許文献１】特開平５−１４７９９号公報
【発明の開示】
【発明が解決しようとする課題】
【０００４】
ところで、暗闇などで被写体輝度が低い場合には、ＣＣＤの単位画素あたりの電荷量が小さくなるので、暗電流などのノイズ量が信号レベルに対して相対的に無視できないレベルとなり、この結果、Ｓ／Ｎ（ノイズレベルに対する信号レベル比）が低くノイズ感の大きな画像となってしまうという問題点があった。
【０００５】
本発明はこのような問題点に鑑みてなされたものであって、被写体輝度が低い場合でも、ノイズの少ない良好な画像を得ることが可能な撮像装置、良質画像獲得方法、及びプログラムを提供することを目的とする。
【課題を解決するための手段】
【０００６】
上記目的を達成するために、請求項１記載の発明によれば、平面状に配設された複数の光電変換要素からなり、該複数の光電変換要素が画素をそれぞれ構成する光電変換部と、前記光電変換部における同一種の第１の所定数量の光電変換要素から電荷を集め、１画素分の電荷とする第１の電荷収集手段と、前記光電変換部における同一種の第２の所定数量の光電変換要素から電荷を集め、１画素分の電荷とする第２の電荷収集手段と、被写体輝度を計測する被写体輝度計測手段と、前記被写体輝度計測手段によって計測された被写体輝度に応じて、前記第１及び第２の電荷収集手段のうちの一方を動作させる動作制御手段とを有することを特徴とする撮像装置が提供される。
【０００７】
また、請求項２記載の発明によれば、上記撮像装置において、前記第１の所定数量は、前記第２の所定数量よりも小さく、前記動作制御手段は、前記被写体輝度計測手段によって計測された被写体輝度が所定輝度よりも高い場合には、前記第１の電荷収集手段を動作させ、前記計測された被写体輝度が前記所定輝度以下である場合には、前記第２の電荷収集手段を動作させることを特徴とする。
【０００８】
また、請求項６記載の発明によれば、垂直方向および水平方向に配設された複数の光電変換要素からなり、該複数の光電変換要素が画素をそれぞれ構成する光電変換部と、前記光電変換部の垂直方向の画素列毎に設けられるとともに、各々が垂直方向に並んだ複数の電荷保持要素からなり、該複数の電荷保持要素が、前記光電変換部の対応の光電変換要素から画素ごとの電荷を受け取り、該電荷を前記電荷保持要素ごとに順次垂直方向に転送することが可能な複数の垂直電荷転送部と、各々が水平方向に並んだ複数の電荷保持要素からなり、該複数の電荷保持要素に前記複数の垂直電荷転送部の垂直方向の各一方端がそれぞれ接続され、前記複数の垂直電荷転送部からそれぞれ転送された電荷を、前記電荷保持要素ごとに順次水平方向に転送することが可能な水平電荷転送部と、前記複数の垂直電荷転送部の各々における前記複数の電荷保持要素のうちの１つに、前記光電変換部の第１の所定数量の光電変換要素から電荷をそれぞれ転送させる第１の転送制御手段と、前記複数の垂直電荷転送部の各々における前記複数の電荷保持要素のうちの１つに、前記光電変換部の第２の所定数量の光電変換要素から電荷をそれぞれ転送させる第２の転送制御手段と、被写体輝度を計測する被写体輝度計測手段と、前記被写体輝度計測手段によって計測された被写体輝度に応じて、前記第１及び第２の転送制御手段のうちの一方を動作させる動作制御手段とを有することを特徴とする撮像装置が提供される。
【０００９】
また、請求項８記載の発明によれば、平面状に配設された複数の光電変換要素からなり、該複数の光電変換要素が画素をそれぞれ構成する光電変換部を備えた撮像装置に適用される良質画像獲得方法において、前記光電変換部における同一種の第１の所定数量の光電変換要素から電荷を集め、１画素分の電荷とする第１の電荷収集ステップと、前記光電変換部における同一種の第２の所定数量の光電変換要素から電荷を集め、１画素分の電荷とする第２の電荷収集ステップと、被写体輝度を計測する被写体輝度計測ステップと、前記被写体輝度計測ステップによって計測された被写体輝度に応じて、前記第１及び第２の電荷収集ステップのうちの一方を実行させる動作制御ステップとを有することを特徴とする良質画像獲得方法が提供される。
【００１０】
さらに、上記良質画像獲得方法をコンピュータに実行させるためのプログラムが提供される。
【発明の効果】
【００１１】
本発明によれば、平面状に配設された複数の光電変換要素からなり、該複数の光電変換要素が画素をそれぞれ構成する光電変換部と、前記光電変換部における同一種の第１の所定数量の光電変換要素から電荷を集め、１画素分の電荷とする第１の電荷収集手段と、前記光電変換部における同一種の第２の所定数量の光電変換要素から電荷を集め、１画素分の電荷とする第２の電荷収集手段と、被写体輝度を計測する被写体輝度計測手段とを備え、前記被写体輝度計測手段によって計測された被写体輝度に応じて、前記第１及び第２の電荷収集手段のうちの一方を動作させる。
【００１２】
例えば、前記第１の所定数量は、前記第２の所定数量よりも小さく、前記被写体輝度計測手段によって計測された被写体輝度が所定輝度よりも高い場合には、前記第１の電荷収集手段を動作させ、前記計測された被写体輝度が前記所定輝度以下である場合には、前記第２の電荷収集手段を動作させる。
【００１３】
これにより、被写体輝度が低い場合でも、ノイズの少ない良好な画像を得ることができる。
【００１４】
また、前記第２の電荷収集手段が動作されるときにはモノクロ画像処理を行うことにより、更にノイズを低減した画像を得ることができる。
【００１５】
また、前記第２の電荷収集手段が動作されるときには、手ぶれ補正を行わず、光電変換部の全画素を読み込むことにより、前記第２の電荷収集手段の動作時での画像解像度の低下を緩和することができる。
【発明を実施するための最良の形態】
【００１６】
以下、本発明を実施するための最良の形態について、図面を参照して説明する。
【００１７】
〔第１の実施の形態〕
図１は、本発明に係る第１の実施の形態における撮像装置の構成を示すブロック図である。
【００１８】
図中１は光学レンズ、２は撮像素子であるＣＣＤ、３はＣＣＤ２の出力信号をアナログ／デジタル変換するＡＦＥ、４は画像処理部、６はＣＣＤ２の撮像タイミングを制御するタイミング発生部、７は撮像装置全体を制御するシステムコントローラ、９は被写体輝度計測部である。タイミング発生部６は、ＣＣＤ２の垂直転送信号（Ｖ１Ａ，Ｖ１Ｂ，Ｖ１Ｃ，Ｖ１Ｄ，Ｖ２，Ｖ３Ａ，Ｖ３Ｂ，Ｖ３Ｃ，Ｖ３Ｄ，Ｖ４）と水平転送信号とを生成する。システムコントローラ７は、中央演算装置（ＣＰＵ）、ＣＰＵが実行するプログラムを記憶するＲＯＭ（Read Only Memory）、ＣＰＵが演算に使用するＲＡＭ（Random Access Memory）、入出力装置等から構成される。
【００１９】
光学レンズ１で集光された撮像光は、ＣＣＤ２において撮像され、ＡＦＥ３でデジタル信号にＡ／Ｄ変換され、画像処理部４で画像処理され、記録処理部（不図示）において記録処理される。
【００２０】
システムコントローラ７は、被写体輝度計測部９で計測された被写体輝度(ＥＶ値)に基づいて、タイミング発生部６で発生する垂直転送信号（Ｖ１Ａ，Ｖ１Ｂ，Ｖ１Ｃ，Ｖ１Ｄ，Ｖ２，Ｖ３Ａ，Ｖ３Ｂ，Ｖ３Ｃ，Ｖ３Ｄ，Ｖ４）の形態を、２画素加算の撮像モードと４画素加算の撮像モードとで切り替える制御を行う。この制御を、図２を参照して説明する。
【００２１】
図２は、システムコントローラ７で実行される撮像モードの決定処理の手順を示すフローチャートである。
【００２２】
システムコントローラ７はまず、最初に撮像モードを通常の２画素加算モードに設定する（Ｓ１）。次に、被写体輝度計測部９で被写体輝度値ＥＶを計測する（Ｓ２）。計測されたＥＶ値が０より大きく、被写体が十分に明るいと判断すれば（Ｓ３でＹＥＳ）、本決定処理を終了し、撮像モードを２画素加算モードとする。計測されたＥＶ値が０以下であれば被写体輝度が不足するので、撮像モードを４画素加算モードに設定する（Ｓ４）。
【００２３】
図３は、ＣＣＤ２の構成図である。
【００２４】
図３において、１１、１３、１５は各々、図３の垂直方向に複数の画素が並んだフォトダイオード、１２、１４，１６は垂直転送レジスタ、１７は水平転送レジスタである。ＣＣＤ２は原色フィルタの付加されたＣＣＤであり、フォトダイオード１１がＲＧフィルタ、フォトダイオード１３がＧＢフィルタというように、一列置きに、ＲＧフィルタ、ＧＢフィルタが付加された構成となっている。フォトダイオード１１、１３、１５から垂直転送レジスタ１２、１４、１６へ電荷を転送するタイミングで映像が撮像されることになる。垂直転送レジスタ１２、１４、１６と水平転送レジスタ１７とをシフト駆動することにより、水平転送レジスタ１７からラスタ出力信号が得られる。すなわち、垂直転送レジスタ１２、１４、１６では各々、対応するフォトダイオード１１、１３、１５から画素ごとに電荷を転送されると、垂直方向に並んだ画素列に沿って電荷を下方向に画素ごとに順次転送（シフト）する。そして、転送された各電荷が垂直転送レジスタ１２、１４、１６の各下方端に達すると、垂直転送レジスタ１２、１４、１６の各下方端に接続された水平転送レジスタ１７の対応の画素位置に上記の各電荷が転送される。水平転送レジスタ１７でも、図３の水平方向に並んだ画素列に沿って電荷が水平方向に画素ごとに順次転送（シフト）される。
【００２５】
以下、ＲＧフィルタ列に着目して、２画素加算モードおよび４画素加算モードについて説明するが、ＧＢフィルタ列に関しても同様な動作である。
【００２６】
図４は、４画素加算モードにおけるフォトダイオード１１から垂直転送レジスタ１２への電荷の転送を示す図であり、図５は、４画素加算モードにおいてタイミング発生部６で発生される垂直転送信号（Ｖ１Ａ，Ｖ１Ｂ，Ｖ１Ｃ，Ｖ１Ｄ，Ｖ２，Ｖ３Ａ，Ｖ３Ｂ，Ｖ３Ｃ，Ｖ３Ｄ，Ｖ４）を示すタイミングチャートである。
【００２７】
図４は、フォトダイオード１１（Ａ）から、それに対応した垂直転送レジスタ１２（Ｂ）へ電荷が転送される様子を示しているが、これは、他のフォトダイオード１３、１５と垂直転送レジスタ１４，１６との各間でも同じ動作となる。
【００２８】
図４に示すように、フォトダイオード１１の垂直方向の画素は８画素単位で制御される。フォトダイオード１１のＲ１画素には垂直転送信号Ｖ１Ａ，Ｖ２が入力され、同様に、Ｇ１画素には垂直転送信号Ｖ３Ａ，Ｖ４が、Ｒ２画素には垂直転送信号Ｖ１Ｂ，Ｖ２が、Ｇ２画素には垂直転送信号Ｖ３Ｂ，Ｖ４が、Ｒ３画素には垂直転送信号Ｖ１Ｃ，Ｖ２が、Ｇ３画素には垂直転送信号Ｖ３Ｃ，Ｖ４が、Ｒ４画素には垂直転送信号Ｖ１Ｄ，Ｖ２が、Ｇ４画素には垂直転送信号Ｖ３Ｄ，Ｖ４が入力される。
【００２９】
電荷の転送を以下に説明すると、まずＴ１区間で、Ｖ３Ａ信号によりフォトダイオード１１のＧ１画素の電荷が垂直転送レジスタ１２に転送（撮像）される。次に、垂直転送レジスタ１２において下方向にシフトを行った後、Ｖ１Ａ信号によりＴ２区間でＲ１電荷が垂直転送レジスタ１２に転送される。次に、垂直転送レジスタ１２において下方向にシフトを行った後、Ｖ３Ｂ信号によりＴ３区間でＧ２電荷がフォトダイオード１１に転送され、Ｇ１電荷にＧ２電荷が加算される。次に、垂直転送レジスタ１２において下方向にシフトを行った後、Ｖ１Ｂ信号によりＴ４区間でＲ２電荷が垂直転送レジスタ１２に転送され、Ｒ１電荷にＲ２電荷が加算される。次に、垂直転送レジスタ１２において下方向にシフトを行った後、Ｖ３Ｃ信号によりＴ５区間でＧ３電荷が垂直転送レジスタ１２に転送され、Ｇ１、Ｇ２、Ｇ３の電荷が加算される。次に、垂直転送レジスタ１２において下方向にシフトを行った後、Ｖ１Ｃ信号によりＴ６区間でＲ３電荷が垂直転送レジスタ１２に転送され、Ｒ１、Ｒ２、Ｒ３の電荷が加算される。次に、垂直転送レジスタ１２において下方向にシフトを行った後、Ｖ３Ｄ信号によりＴ７区間でＧ４電荷が垂直転送レジスタ１２に転送され、Ｇ１、Ｇ２、Ｇ３、Ｇ４の電荷が加算される。そして、垂直転送レジスタ１２において下方向にシフトを行った後、Ｖ１Ｄ信号によりＴ８区間でＲ４電荷が垂直転送レジスタ１２に転送送され、Ｒ１、Ｒ２、Ｒ３、Ｒ４の電荷が加算される。
【００３０】
このように４画素加算モードでは、同一種の近隣の４画素分の電荷が加算され、これにより、ＣＣＤ２から出力される出力信号のレベルが高まり、被写体輝度が不足する撮影時におけるＳ／Ｎの低下を防止することが可能となる。
【００３１】
図６は、２画素加算モードにおけるフォトダイオード１１から垂直転送レジスタ１２への電荷の転送を示す図であり、図７は、２画素加算モードにおいてタイミング発生部６で発生される垂直転送信号（Ｖ１Ａ，Ｖ１Ｂ，Ｖ１Ｃ，Ｖ１Ｄ，Ｖ２，Ｖ３Ａ，Ｖ３Ｂ，Ｖ３Ｃ，Ｖ３Ｄ，Ｖ４）を示すタイミングチャートである。
【００３２】
２画素加算モードにおいても、フォトダイオード１１の垂直方向の画素は８画素単位で制御され、また、フォトダイオード１１のＲ１画素には垂直転送信号Ｖ１Ａ，Ｖ２が入力され、同様に、Ｇ１画素には垂直転送信号Ｖ３Ａ，Ｖ４が、Ｒ２画素には垂直転送信号Ｖ１Ｂ，Ｖ２が、Ｇ２画素には垂直転送信号Ｖ３Ｂ，Ｖ４が、Ｒ３画素には垂直転送信号Ｖ１Ｃ，Ｖ２が、Ｇ３画素には垂直転送信号Ｖ３Ｃ，Ｖ４が、Ｒ４画素には垂直転送信号Ｖ１Ｄ，Ｖ２が、Ｇ４画素には垂直転送信号Ｖ３Ｄ，Ｖ４が入力される。
【００３３】
図７に示すように、２画素加算モードでは、タイミング発生部６が、Ｖ１Ａ信号とＶ１Ｃ信号、Ｖ３Ａ信号とＶ３Ｃ信号、Ｖ１Ｂ信号とＶ１Ｄ信号、Ｖ３Ｂ信号とＶ３Ｄ信号を各々同じ形態のタイミング信号として発生する。これにより、２画素加算を実現できる。
【００３４】
すなわち、Ｔ１１区間でフォトダイオード１１のＧ１電荷とＧ３電荷とを垂直転送レジスタ１２に転送（撮像）し、次に垂直転送レジスタ１２において下方向にシフトを行った後、Ｔ１２区間でＲ１電荷とＲ３電荷とを垂直転送レジスタ１２に転送する。次に垂直転送レジスタ１２において下方向にシフトを行った後、Ｔ１３区間でＧ２電荷とＧ４電荷とを垂直転送レジスタ１２に転送し、Ｔ１１区間で転送したＧ１電荷とＧ３電荷とにＧ２電荷とＧ４電荷とがそれぞれ加算されて、Ｇ１＋Ｇ２、Ｇ３＋Ｇ４となる。次に垂直転送レジスタ１２において下方向にシフトを行った後、Ｔ１４区間でＲ２電荷とＲ４電荷とを垂直転送レジスタ１２に転送し、Ｔ１２区間で転送されたＲ１電荷とＲ３電荷とにＲ２電荷とＲ４電荷とがそれぞれ加算されて、Ｒ１＋Ｒ２、Ｒ３＋Ｒ４となる。
【００３５】
このように２画素加算モードでは、同一種の近隣の２画素分の電荷が加算される。
【００３６】
以上のように、通常は２画素加算を行う一方、暗闇時など被写体輝度が低い場合には、４画素加算を行うことにより、１画素あたりの電荷量を増やし、ノイズの少ない良好な画像を得ることができる。
【００３７】
４画素加算時には、２画素加算時に比べて、ＣＣＤ２の出力画素数が半分（つまり解像度が半分＝フレームレートが半分）になるので、画像処理部４においてフレームレート変換を行う。
【００３８】
なお、４画素加算モードでは、画像処理部４においてモノクロ処理を行って、目立ちやすい色ノイズが画像に表れないようにしてもよい。
【００３９】
〔第２の実施の形態〕
次に本発明の第２の実施の形態を説明する。
【００４０】
図８は、第２の実施の形態における撮像装置の構成を示すブロック図である。第２の実施の形態の構成は、基本的に第１の実施の形態の構成と同じであるので、同一部分には同一の参照符号を付してその説明を省略する。
【００４１】
第２の実施の形態では、第１の実施の形態の構成に対して新たに、操作ＳＷ２１、装置本体の揺れを検出する角速度検出器２２、積分器２３が追加される。
【００４２】
第１の実施の形態では、被写体輝度計測部９から出力される被写体輝度に応じて、システムコントローラ７が、２画素加算モードと４画素加算モードとのいずれかを選択するが、第２の実施の形態では、操作者が操作ＳＷ２１を操作指示することによって、２画素加算モードと４画素加算モードとのいずれかが選択されるようにする。
【００４３】
また、２画素加算モードでは、角速度検出器２２が装置本体の揺れを表す角速度を検出し、積分器２３が該角速度を積分して手ぶれ量を算出する。システムコントローラ７は、この算出された手ぶれ量に応じて、ＣＣＤ２の受光面の上下領域を高速に読み飛ばして動画（ＮＴＳＣ）サイズ分の領域を読み出し制御する、いわゆる手ぶれ補正を行う。
【００４４】
一方、被写体輝度が低い場合には操作者は三脚等を使用すること想定されるので、４画素加算モードでは手ぶれ補正を行わず、したがってＣＣＤ２の受光面の全領域画素を読み込む。
【００４５】
これにより、４画素加算モードでの解像度の低下を改善することができる。
【００４６】
なお、第２の実施の形態では、２画素加算モードと４画素加算モードのいずれかの選択が、操作者による操作ＳＷ２１を介した操作によって行われるとともに、２画素加算モードでは手ぶれ補正を行い、４画素加算モードでは手ぶれ補正を行わないようにしているが、これに代わって、２画素加算モードと４画素加算モードのいずれかの選択が、第１の実施の形態のように、被写体輝度に応じて自動的に行われ、かつ、２画素加算モードでは手ぶれ補正を行い、４画素加算モードでは手ぶれ補正を行わないようにしてもよい。
〔他の実施の形態〕
なお、本発明の目的は、前述した各実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００４７】
この場合、記憶媒体から読み出されたプログラムコード自体が本発明の新規な機能を実現することになり、そのプログラムコードを記憶した記憶媒体およびプログラムは本発明を構成することになる。
【００４８】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【００４９】
また、コンピュータが読み出したプログラムコードを実行することにより、前述した各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００５０】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施の形態の機能が実現される場合も含まれる。
【図面の簡単な説明】
【００５１】
【図１】本発明に係る第１の実施の形態における撮像装置の構成を示すブロック図である。
【図２】システムコントローラで実行される撮像モードの決定処理の手順を示すフローチャートである。
【図３】ＣＣＤの構成図である。
【図４】４画素加算モードにおけるフォトダイオードから垂直転送レジスタへの電荷の転送を示す図である。
【図５】４画素加算モードにおいてタイミング発生部で発生される垂直転送信号を示すタイミングチャートである。
【図６】２画素加算モードにおけるフォトダイオードから垂直転送レジスタへの電荷の転送を示す図である。
【図７】２画素加算モードにおいてタイミング発生部で発生される垂直転送信号を示すタイミングチャートである。
【図８】第２の実施の形態における撮像装置の構成を示すブロック図である。
【図９】動画サイズとサイズＣＣＤとを示す図である。
【符号の説明】
【００５２】
１  光学レンズ
２  ＣＣＤ（光電変換部、第１の電荷収集手段、第２の電荷収集手段）
３  ＡＦＥ
４  画像処理部
６  タイミング発生部（第１の電荷収集手段、第２の電荷収集手段）
７  システムコントローラ（第１の電荷収集手段、第２の電荷収集手段、動作制御手段）
９  被写体輝度計測部（被写体輝度計測手段）
【図１】
2005167497.tif 000003
【図２】
2005167497.tif 000004
【図３】
2005167497.tif 000005
【図４】
2005167497.tif 000006
【図５】
2005167497.tif 000007
【図６】
2005167497.tif 000008
【図７】
2005167497.tif 000009
【図８】
2005167497.tif 000010
【図９】
2005167497.tif 000011